(57)【要約】      （修正有）【課題】無線通信によりユーザーの矯正履歴を取得可能にする足矯正サービスシステム及び足矯正装置を提供する。【解決手段】足矯正装置２は、ユーザーの足裏に踏まれてユーザーの足１を矯正するためのものであって、例えばユーザーが使用する靴の中敷き等に設けられ、ベース２１と識別部材とを備えている。ベース２１は、ユーザーの足裏に対向する矯正面２１１と、該矯正面２１１と背中合わせの取付面２１２と、該取付面２１２より窪んで設けられた複数の取付穴とを有する。ユーザーの足矯正装置２が足矯正サービスシステムにおける検出装置３の近傍に置かれたとき、該検出装置３によって識別部材に蓄積された識別情報が読み取られ、管理サービス装置４によって検出装置３から読み取られた識別情報を受信すると、ユーザーの矯正履歴ファイルを自動的に呼び出すことができる。【選択図】図１
0003193352.tif 000002
【実用新案登録請求の範囲】
【請求項１】
ユーザーの足裏に踏まれてユーザーの足を矯正するための足矯正装置であって、
前記ユーザーの足裏に対向する矯正面と、該矯正面と背中合わせの取付面と、該取付面より窪んで設けられた複数の取付穴とを有するベースと、
前記ユーザーを特定する識別情報を蓄積するように複数の前記取付穴における１つに設けられた識別部材と、を備えていることを特徴とする足矯正装置。
【請求項２】
前記識別情報は、前記ユーザーの名前、性別、身長、体重あるいは年齢を含むことを特徴とする請求項１に記載の足矯正装置。
【請求項３】
請求項１に記載の足矯正装置と、
前記識別部材に蓄積された前記識別情報を無線通信を介して検知して読み取るように構成された検出装置と、
前記検出装置から読み取られた前記識別情報を受信すると共に処理するように前記検出装置に信号的に接続され、前記ユーザーの矯正履歴を入力して矯正履歴ファイルを生成し、前記検出装置から読み取られた前記識別情報に基づいて、前記ユーザーの前記矯正履歴に応じた前記矯正履歴ファイルを呼び出す管理サービス装置と、を備えていることを特徴とする足矯正サービスシステム。
【考案の詳細な説明】
【技術分野】
【０００１】
本考案は、矯正装置及び矯正サービスシステムに関し、より詳しくは足矯正装置及び足矯正サービスシステムに関する。
【背景技術】
【０００２】
人の足の骨は、筋で強く結合しており、足の内側で脛骨から伸びる三角靭帯で支えられながら、足弓と言われるアーチ（土踏まず）を形成して、地面から伝わってくる振動を吸収、緩和及び分散しながら、身体に対し適当な支持及びバランスを保っている。先天性及び後天性に拘わらず、足裏のアーチが少ない扁平足、あるいは逆に多過ぎるハイアーチの人の場合には、土踏まずが適度に形成されている人に比べ、身体の重心の移動等の調節が難しくなる。このため、歩いたり立ちっぱなしでは疲れ易く、また、身体の重心が脚や腰、膝に集中するため、脚のむくみや、腰痛あるいは背骨を通じての体の歪み等、種々の症状を引き起こす問題点がある。
【０００３】
そこで、足の形を矯正して歩行改善、運動能力の向上あるいは美容のために、足裏の土踏まずに相当する部分に土踏まずに沿うように人工的に作られた足矯正装置が従来から用いられている。足の構造や歩行の習慣は人によって異なるため、足矯正装置はメーカーにおいて、ユーザーの身長、体重、年齢及びフットプリント等のデータと共にユーザーの足裏の形状に合わせて製造される。なお、フットプリントとは、プリント用紙の上にインクで謄写されたものであり、フットプリントの形状から、足裏にかかる圧力、指先及びアーチ等の状態を読み取ることができる（例えば特許文献１には「土踏まず矯正装置付靴セット及び該土踏まず矯正装置付靴セットを装着した時の靴内部の足裏バランス取りの微調整法」が開示されている）。
【先行技術文献】
【特許文献】
【０００４】
【特許文献１】台湾特許出願番号第０９８１３７１００号明細書
【考案の概要】
【考案が解決しようとする課題】
【０００５】
土踏まず矯正装置によって足裏の姿勢を正確に矯正する効果を確かめて矯正された姿勢に合わせて、更に土踏まず矯正装置を調整するために、ユーザーは定期的にメーカーにて足裏圧力の検出を行い、足裏圧力の検出結果に基づいて足矯正装置を微調整する作業を行わなければならない。
【０００６】
本考案は、無線通信によりユーザーの矯正履歴を取得可能にする足矯正サービスシステム及び足矯正サービスシステムによる足矯正装置を提供することを目的とする。
【課題を解決するための手段】
【０００７】
上記目的を達成するために、本考案の一の観点によれば、ユーザーの足裏に踏まれてユーザーの足を矯正するための足矯正装置であって、前記ユーザーの足裏に対向する矯正面と、該矯正面と背中合わせの取付面と、該取付面より窪んで設けられた複数の取付穴とを有するベースと、前記ユーザーを特定する識別情報を蓄積するように複数の前記取付穴における１つに設けられた識別部材と、を備えていることを特徴とする足矯正装置を提供する。
【０００８】
また、本考案の他の観点によれば、本考案に係る足矯正装置と、前記識別部材に蓄積された前記識別情報を無線通信を介して検知して読み取るように構成された検出装置と、前記検出装置から読み取られた前記識別情報を受信すると共に処理するように前記検出装置に信号的に接続され、前記ユーザーの矯正履歴を入力して矯正履歴ファイルを生成し、前記検出装置から読み取られた前記識別情報に基づいて、前記ユーザーの前記矯正履歴に応じた前記矯正履歴ファイルを呼び出す管理サービス装置と、を備えていることを特徴とする足矯正サービスシステムをも提供する。
【考案の効果】
【０００９】
本考案に係る足矯正サービスシステム及び足矯正装置によれば、ユーザーの足矯正装置が足矯正サービスシステムにおける検出装置の近傍に置かれたとき、該検出装置によって識別部材に蓄積された識別情報が読み取られ、管理サービス装置によって検出装置から読み取られた識別情報を受信すると、ユーザーの矯正履歴ファイルを自動的に呼び出すことができる。これによって、例えばメーカーの作業員が速く且つ正確にユーザーと関する矯正履歴を取得することができるので、サービスの品質を向上させることができる。
【図面の簡単な説明】
【００１０】
【図１】本考案に係る足矯正サービスシステムの一実施の形態を示す斜視図である。
【図２】本考案に係る足矯正サービスシステムの構成を示すブロック図である。
【図３】本考案に係る足矯正装置の取付けの一例を示す斜視図である。
【考案を実施するための形態】
【００１１】
以下、本考案の一実施の形態につき、図面を参照して具体的に説明する。
（実施の形態）
図１は本考案に係る足矯正サービスシステムの一実施の形態を示す斜視図、図２は本考案に係る足矯正サービスシステムの構成を示すブロック図である。本考案に係る足矯正サービスシステムは、ユーザーの足１を矯正した情報を蓄積してユーザー専用の矯正履歴を製作するものである。矯正履歴とは、ユーザーの矯正時期のそれぞれに計測されたフットプリントの分析データ、又はユーザーに関する矯正情報である。本考案に係る足矯正サービスシステムは主に、足矯正装置２と、検出装置３と、管理サービス装置４とを備えている。
【００１２】
足矯正装置２は、ユーザーの足裏に踏まれてユーザーの足１を矯正するためのものであって、例えばユーザーが使用する靴の中敷き等に設けられ、ベース２１と識別部材２２とを備えている。ベース２１は、ユーザーの足裏に対向する矯正面２１１と、該矯正面２１１と背中合わせの取付面２１２（なお、取付面２１２は図１を参照して矯正面２１１とは反対側の中敷き等の裏面となる）と、該取付面２１２より窪んで設けられた複数の取付穴２１３とを有する。識別部材２２は、ユーザーを特定する識別情報を蓄積するように複数の取付穴２１３における１つに設けられている。なお、識別部材２２は、識別情報を保存するため並びに使用安全性の向上を図るために、防水防湿のためのパッケージが施されている。
【００１３】
識別情報は、この実施の形態では、ユーザーの名前、性別、身長、体重あるいは年齢を含むものであるが、これに制限されない。また、識別情報が蓄積された識別部材２２は、識別情報が身長、体重あるいは年齢の変化によって更新できるように、読み取り及び書き込みが可能なものであることが好ましい。
【００１４】
ベース２１は、実施するときに、ユーザーが靴を履くと、ユーザーの足１に当接して踏まれるように、靴中に敷かれる（図示せず）中敷きの形として構成され、靴を履くことで矯正可能にするものである。なお、ベース２１は、足裏を矯正するように凹凸状に形成されており、ベース２１の構造は、一般的な矯正構成であるため、その詳細な説明を省略する。
【００１５】
検出装置３は、無線周波数を用いるＲＦＩＤ（Radio Frequency Identifier）技術を用いたものであり、無線によって識別部材２２を感知すると共に識別部材２２に格納された識別情報の読み取り、書き込み及び更新等ができるように構成される。より具体的には、検出装置３は、ＲＦＩＤの技術を使うことにより無線発信によって識別部材２２を感知して識別部材２２から識別情報を読み取り、検出装置３に送出することで、識別情報の読み取りが自動化され、作業員が手動でキーボード等を叩く等の操作手間を省くことができ、効率を向上させることができる。
【００１６】
管理サービス装置４は、検出装置３に信号的に接続され、検出装置３から送出された識別情報を受信及び処理可能に構成されている。管理サービス装置４は一例として、本実施の形態では、パーソナルコンピュータ（パソコン）であるが、情報の蓄積及び処理可能な装置であればよく、例えばノートパソコンや、タブレットパソコン、スマートフォン等であってもよい。
【００１７】
なお、足矯正装置２におけるベース２１は靴に敷かれて、ユーザーが毎日靴を履くだけで、踏まれている間、ユーザーの足裏の形を矯正していくことができる。そして、ユーザーが定期的にメーカーのサービスセンターにて足裏の形を計測することにより、フットプリントを取得してユーザーの足裏に関する矯正状態を知り得ることができる。ユーザーの毎回の矯正状態を記録及び蓄積することによって、ユーザーの足裏に関する矯正履歴を取得することができる。そして、作業員は、今回の計測結果に応じて、矯正されたユーザーの足裏の形に合わせてベース２１の構造的な微調整を行う。これによって、身体を健康に整えることができる。なお、微調整は従来から実施されている構成法を用いて中敷きを再構成することができるので、その詳細な説明を省略する。
【００１８】
そして、作業員は、ユーザーの識別情報を識別部材２２に格納していく。足矯正装置２を用いる前のフットプリントを取得すれば、ユーザーの矯正前の足裏の圧力の分布状態が、１回目の矯正履歴として分かる。該矯正履歴を管理サービス装置４に入力することにより、管理サービス装置４によって、ユーザーの矯正履歴に応じた矯正履歴ファイルが生成される。所定の矯正期間、例えば２カ月を経た後、再度矯正状態を知り得るよう足裏を計測する。
【００１９】
足矯正装置２を検出装置３に近づけると、検出装置３によって足矯正装置２の識別部材２の識別情報が読み取られ、管理サービス装置４に送信される。管理サービス装置４は、足矯正装置２から読み取られた情報に基づいてユーザーの矯正履歴に応じた矯正履歴ファイルが例えばディスプレイの表示画面に表示される。作業員は、この矯正履歴ファイルによって前回の矯正状態を取得することができると共に、再度計測された矯正履歴を入力及び更新することができる。
【００２０】
以上により、ベース２１に設けられた識別部材２２にユーザーを識別する識別情報が格納されているので、ユーザーの足１を計測するとき、足矯正装置２を検出装置３に近づけると、検出装置３によって識別部材２２に格納された識別情報が読み取られて、管理サービス装置４に送出される。管理サービス装置４は、検出装置３から送られた識別情報を受け取ると、該識別情報に関する矯正履歴ファイルを自動的に呼び出して表示する。これによって、ユーザーに関する矯正履歴情報を速く且つ正確に取得することができ、サービス品質の向上を図ることができる。
【００２１】
本考案は、上述の実施の形態に限定されるものではなく、当業者の知識に基づいて各種の設計変更等の変形を加えることも可能である。各図に示す構成は、一例を説明するためのもので、同様な機能を達成できる構成であれば、適宜変更可能である。
【産業上の利用可能性】
【００２２】
本考案に係る足矯正装置及び足矯正サービスシステムは、靴やサンダル、スリッパ等の中敷きとして適し、体重を支持する足のバランスを保つことができるように健康に役立つ効果を有する。
【符号の説明】
【００２３】
２      足矯正装置
２１    ベース
２１１  矯正面
２１２  取付面
２１３  取付穴
２２    識別部材
３      検出装置
４      管理サービス装置
【図１】
0003193352.tif 000003
【図２】
0003193352.tif 000004
【図３】
0003193352.tif 000005